(57)【要約】【課題】電波源からの電波放射を容易に把握することが可能な電波放射測定装置を提供する。【解決手段】電波放射測定装置は、測定空間内における電波源からの電波放射を測定するために用いられる。具体的には、複数のガイドは、発光装置から発せられた光を特定方向に導き、調光機構は、複数のガイドのそれぞれから放射される光を調光する。詳しくは、調光機構は、電波源の指向性に一致させるように調光される。上記の電波放射測定装置を用いることにより、放射された光によって照らされた物体の照度などに基づいて、当該物体への電波放射強度などを直感的に把握することができる。よって、測定空間内における電波源からの電波放射を容易に把握することが可能となる。【選択図】図１
2009075049.tif 000002
【特許請求の範囲】
【請求項１】
測定すべき空間内に配置され、電波源からの電波放射を測定するための電波放射測定装置であって、
光を発する発光装置と、
前記発光装置から発せられた光を特定方向に導く複数のガイドと、
前記複数のガイドのそれぞれから放射される光を調光するための調光機構と、を備え、
前記調光機構によって調光された光に基づいて前記電波源からの電波放射が測定されることを特徴とする電波放射測定装置。
【請求項２】
前記調光機構は、前記電波源の指向性に一致させるように調光されることを特徴とする請求項１に記載の電波放射測定装置。
【請求項３】
前記発光装置は、前記複数のガイドの全てにおいて共通で用いられる１つの光源を有することを特徴とする請求項１又は２に記載の電波放射測定装置。
【請求項４】
前記発光装置は、前記複数のガイドのそれぞれにおいて別個に用いられる複数の光源を有することを特徴とする請求項１又は２に記載の電波放射測定装置。
【請求項５】
前記調光機構は、絞り機構及び調光フィルタの少なくともいずれかによって構成されることを特徴とする請求項３又は４に記載の電波放射測定装置。
【請求項６】
前記調光機構は、前記複数の光源の各々に備えられることを特徴とする請求項４に記載の電波放射測定装置。
【請求項７】
前記複数のガイドは、１つの点から概ね放射状に広がるように配置されることを特徴とする請求項１乃至６のいずれか一項に記載の電波放射測定装置。
【請求項８】
前記複数のガイドは、少なくとも前記電波源から電波が放射される範囲がカバーされるような立体角範囲にて配置されることを特徴とする請求項７に記載の電波放射測定装置。
【請求項９】
前記電波源は、アンテナを有して構成され、
前記調光機構は、前記アンテナの指向性に一致させるように調光されることを特徴とする請求項１乃至８のいずれか一項に記載の電波放射測定装置。
【発明の詳細な説明】
【技術分野】
【０００１】
本発明は、アンテナなどの電波源からの電波放射を測定する技術に関する。
【背景技術】
【０００２】
従来から、例えばＩＣタグ運用場において、物体への電波放射強度分布などを測定することが行われていた。ＩＣタグなどを利用する場合においては、実際の読み取り作業を確実に行えるようにするために、関連機器の設置位置や、ＩＣタグの添付場所、方向などの微調整を事前に繰り返して検証することが重要であるため、上記のような測定が行われている。例えば、特許文献１に、複数の測定ポイントで電波を受信し測定する電波測定装置が記載されている。
【０００３】
【特許文献１】特開２００６−２８４４９７号公報
【発明の開示】
【発明が解決しようとする課題】
【０００４】
しかしながら、上述したような従来の技術では、電波は目に見えないものであるため、着目している空間内にどのような強度で電波が放射されているかなどを、現場において容易に把握することが困難であった。そのため、予期しない／見落とした電波の反射や遮蔽などによって、期待した電波通信性能が得られない場合があった。また、このような場合に、改善に試行錯誤を要し、時間がかかってしまう場合があった。上記した特許文献１に記載された技術でも、電波放射を容易に把握することが困難であった。
【０００５】
本発明は、上記の点に鑑みてなされたものであり、空間内における電波源からの電波放射を容易に把握することが可能な電波放射測定装置を提供することを課題とする。
【課題を解決するための手段】
【０００６】
本発明の１つの観点では、測定すべき空間内に配置され、電波源からの電波放射を測定するための電波放射測定装置は、光を発する発光装置と、前記発光装置から発せられた光を特定方向に導く複数のガイドと、前記複数のガイドのそれぞれから放射される光を調光するための調光機構と、を備え、前記調光機構によって調光された光に基づいて前記電波源からの電波放射が測定されることを特徴とする。
【０００７】
上記の電波放射測定装置は、測定空間内における電波源からの電波放射を測定するために好適に用いられる。具体的には、複数のガイドは、発光装置から発せられた光を特定方向に導き、調光機構は、複数のガイドのそれぞれから放射される光を調光する。上記の電波放射測定装置によれば、調光された光によって照らされた物体の照度などに基づいて、測定空間内において電波放射測定装置を配置した位置に電波源を配置した場合における、当該物体への電波放射強度などを把握することができる。つまり、電波放射測定装置の照射による物体の照度などを目視することによって、物体への電波放射強度などを直感的に把握することができる。以上により、電波放射測定装置によれば、測定空間内における電波源からの電波放射を容易に把握することが可能となる。
【０００８】
上記の電波放射測定装置の一態様では、前記調光機構は、前記電波源の指向性に一致させるように調光される。
【０００９】
この態様では、着目している電波源の指向性を模擬した光が電波放射測定装置から放射されるように、調光が行われる。つまり、電波源の指向性が電波放射測定装置によって再現されるように、調光が行われる。これにより、電波放射測定装置を用いて、電波源からの電波放射を比較的精度良く把握することが可能となる。
【００１０】
上記の電波放射測定装置の他の一態様では、前記発光装置は、前記複数のガイドの全てにおいて共通で用いられる１つの光源を有する。
【００１１】
上記の電波放射測定装置の他の一態様では、前記発光装置は、前記複数のガイドのそれぞれにおいて別個に用いられる複数の光源を有する。
【００１２】
上記の電波放射測定装置において好適には、前記調光機構は、絞り機構及び調光フィルタの少なくともいずれかによって構成される。
【００１３】
また、上記の電波放射測定装置において好適には、前記調光機構は、前記複数の光源の各々に備えられる。これにより、精度良く調光を行うことができ、電波源の指向性に対する再現性を向上させることが可能となる。
【００１４】
好ましくは、前記複数のガイドは、１つの点から概ね放射状に広がるように配置される。また、前記複数のガイドは、少なくとも前記電波源から電波が放射される範囲がカバーされるような立体角範囲にて配置される。
【００１５】
好適な例では、前記電波源はアンテナを有して構成され、前記調光機構は前記アンテナの指向性に一致させるように調光される。
【発明を実施するための最良の形態】
【００１６】
以下、図面を参照して本発明の好適な実施形態について説明する。
【００１７】
［測定方法］
まず、本実施形態に係る電波放射測定装置を用いた測定方法について、具体的に説明する。
【００１８】
図１は、本実施形態に係る電波放射測定装置１０を用いた測定方法を説明するための図である。具体的には、図１は、測定対象となっている３次元空間（例えばＩＣタグ６を読み取るためのゲートなどが配置された空間であり、以下では、このような空間を「測定空間」とも呼ぶ。）の一例を表している。この場合、測定空間内には、コンベア３、ＩＣタグ４、柱５、制御盤６などが存在する。基本的には、測定を行う際に、このような測定空間内に電波放射測定装置１０が配置され、この電波放射測定装置１０を使用して測定空間内に存在する物体への電波放射強度（言い換えると電波放射強度分布）などが測定される。例えば、電波放射測定装置１０は、電波源（アンテナなど）を配置することを予定している場所などに配置される。
【００１９】
具体的には、電波放射測定装置１０は、略球体に構成されており、主に、光を発する光源１１と、光源１１から発せられた光を特定方向に導く複数のガイド１３と、ガイド１３から放射される光を調光するための調光機構（不図示）と、を有する。電波放射測定装置１０からは、例えば図１中の符号Ａ１〜Ａ３で示すように、複数の光が放射される。これらの符号Ａ１〜Ａ３で示す光は、それぞれ、コンベア３、ＩＣタグ４、柱５に照射される。また、電波放射測定装置１０は、測定すべき電波源の指向性（以下、「電波指向性」とも呼ぶ。）に一致させるように、調光機構によってガイド１３から放射される光が予め調光される。例えば測定者（ユーザ）が調光機構を操作することによって、ガイド１３から放射される光の強度の調節が行われる。なお、電波放射測定装置１０は、図１には図示していないが、光源１１に対して電力を供給するためのコンセントや、本体を支持するための部材などを備えているものとする。
【００２０】
このような電波放射測定装置１０は、基本的には、測定空間内における電波源からの電波放射を測定するために用いられる。具体的には、本実施形態では、電波放射測定装置１０から放射された光に基づいて、測定空間内における電波源からの電波放射を測定する。このように、電波源からの電波を実際に用いずに、電波放射測定装置１０から放射された光を用いて電波放射の測定を行う理由は、以下の通りである。光と電波とは概ね同様の特性（例えば伝播特性など）を有しているため、電波放射測定装置１０から放射された光による物体の照度や光の反射などが、電波源からの電波放射を表しているものと考えることができる。即ち、電波放射測定装置１０から放射された光によって照らされた物体の照度が、当該物体への電波放射強度に概ね相当すると考えることができる。更には、実際に電波源を用いても、電波源からの電波は目に見えないものであるため、電波放射を直感的に把握することが困難であるが、光を用いた場合には、照度などを視覚的に把握することができるため、目視により直感的に電波放射を把握することができると言える。
【００２１】
したがって、本実施形態では、電波源からの電波を実際に用いずに、電波放射測定装置１０から放射された光を用いて電波放射の測定を行う。これにより、電波放射測定装置１０から放射された光によって照らされた物体の照度などに基づいて、測定空間内において電波放射測定装置１０を配置した位置に電波源を配置した場合における、当該物体への電波放射強度などを測定することが可能となる。つまり、電波放射測定装置１０の照射による物体の照度などを測定者が目視することによって、測定空間内の物体への電波放射強度などを大まかに把握することが可能となる。例えば、測定空間内の物体において明るく照らし出された部分（つまり照度が高い部分）は電波が強く当たる部分であると判断することができ、測定空間内の物体において光が届かない部分（つまり照度がかなり低い部分）は電波がほとんど届かない部分であると判断することができる。また、例えば光が反射する部分は、電波源からの電波伝播にも影響がある部分であると判断することができる。
【００２２】
更に、本実施形態では、測定対象となる電波源の指向性に一致させるように調光機構によって予め調光した光を電波放射測定装置１０から放射させることによって、電波源からの電波放射を把握する。即ち、着目している電波源の指向性を模擬した光を電波放射測定装置１０から放射させる。言い替えると、電波源の指向性を、電波放射測定装置１０ｂによって再現させる。これにより、電波放射測定装置１０を用いて、電波源からの電波放射を比較的精度良く把握することが可能となる。
【００２３】
以上説明したように、電波放射測定装置１０によれば、放射された光によって照らされた物体の照度などを目視することによって、測定空間内における電波源からの電波放射を直感的に把握することが可能となる。よって、このようにして把握された電波放射に基づいて、望ましい電波放射が得られるまで、例えば被放射体（コンベア３やＩＣタグ４など）を移動したり、実際の電波源の電波放射方向を変更したり、異なった指向性の電波源を採用したりする作業を効率的に行うことができる。つまり、素早く直感的に試行錯誤することが可能となる。
【００２４】
［電波放射測定装置の構成］
以下では、上記した電波放射測定装置の実施例について具体的に説明する。
【００２５】
（第１実施例）
図２は、第１実施例に係る電波放射測定装置１０の構成を示す図である。なお、図２（ａ）〜（ｃ）において、同一の符号を付して示した構成要素は、概ね同一のものを指し示すものとする。
【００２６】
図２（ａ）は、電波放射測定装置１０の一部分を透視した概略構成図を示している。この電波放射測定装置１０は、図１に示した装置と同様のものである。なお、図２（ａ）では、説明の便宜上、電波放射測定装置１０が有する全てのガイド１３を図示していない。
【００２７】
電波放射測定装置１０は、主に、１つの光源１１と、複数のガイド１３と、ガイド１３を支持するガイド支持体１２と、を有する。図示のように電波放射測定装置１０は、光源１１を概ね中心とする略球体に構成されており、光源１１から概ね放射状に広がるように複数のガイド１３が配置されている。これらの複数のガイド１３は、全周をカバーするように、つまり概ね全ての立体角範囲がカバーされるように配置しても良いし、測定対象となる電波源から電波が放射される範囲のみがカバーされるような立体角範囲にて配置しても良い。なお、光源１１は、本発明における発光装置に相当する。
【００２８】
図２（ｂ）は、上記したガイド１３を拡大して表した構成図を示している。具体的には、１つのガイド１３の側面図を示している（一部分を透視して示している）。図示のように、ガイド１３は、光源１１からの光が内部を通過するように筒状に構成されると共に、光の進行方向に従って広がるような形状を有している。また、ガイド１３には、内部を通過する光を調光可能な、つまり光の強度を加減することが可能な絞り機構１４が設けられている。この絞り機構１４は、本発明における調光機構に相当する。
【００２９】
図２（ｃ）は、上記したガイド１３とは異なるガイドの例を示している。具体的には、図２（ｃ）は、１つのガイド１３ａにおける側面図を示している。このようなガイド１３ａも、図２（ａ）に示すような電波放射測定装置１０に用いられる。図示のように、ガイド１３ａは、光源１１からの光が内部を通過するように筒状に構成されると共に、光の進行方向に従って広がるような形状を有している。また、ガイド１３ａは、光源１１からの光を調光可能な、つまり光の強度を加減することが可能な調光フィルタ１５が装着可能に構成されている。この調光フィルタ１５は、本発明における調光機構に相当する。
【００３０】
なお、電波放射測定装置１０における複数のガイドを、ガイド１３及びガイド１３ａのいずれか一方のみを用いて構成しても良いし、ガイド１３及びガイド１３ａの両方を用いて構成しても良い。
【００３１】
ここで、調光機構（上記した絞り機構１４及び調光フィルタ１５）を用いた調光方法の具体例について説明する。前述したように、電波放射測定装置１０の調光機構は、測定対象となる電波源の指向性に一致させるように、測定者などによって予め調整が行われる。つまり、着目している電波源の指向性に一致させるように、複数のガイド１３又はガイド１３ａからそれぞれ放射される光の強度が調節される。こうするのは、着目している電波源の指向性を、電波放射測定装置１０に模擬させるためである。言い替えると、電波放射測定装置１０によって、電波源の指向性を再現するためである。
【００３２】
図３は、電波源としてアンテナ２０を用いた場合における電波指向性の一例を示した図である。具体的には、図３は、アンテナ２０を上方から見た図であり、紙面の右方向がアンテナ２０の前方に相当する。このようなアンテナ２０は、例えばＩＣタグを読み取るために用いられる。また、図３中の破線は、アンテナ２０の電波指向性の一例を示している。このようなアンテナ２０の電波指向性に一致させるように、つまりアンテナ２０の電波指向性が再現されるように、測定者などによって、電波放射測定装置１０における調光機構の調整が行われる。具体的には、複数のガイド１３又はガイド１３ａのそれぞれに設けられた絞り機構１４又は調光フィルタ１５に対する調整が行われる。これにより、電波放射測定装置１０を用いて、アンテナ２０からの電波放射を、比較的精度良く把握することが可能となる。
【００３３】
以上説明した第１実施例に係る電波放射測定装置１０によれば、放射された光によって照らされた物体の照度などを目視することによって、測定空間内における電波源からの電波放射を容易に把握することが可能となる。
【００３４】
（第２実施例）
次に、第２実施例に係る電波放射測定装置の構成について説明する。前述した第１実施例に係る電波放射測定装置１０は１つの光源１１のみを有していたのに対して、第２実施例に係る電波放射測定装置は複数の光源を有する。具体的には、第２実施例に係る電波放射測定装置では、複数のガイドのそれぞれにおいて、１つの光源が設けられている。つまり、複数のガイドのそれぞれにおいて別個の光源が用いられる。
【００３５】
図４は、第２実施例に係る電波放射測定装置１０ｂの構成を示す図である。なお、図４（ａ）〜（ｄ）において、同一の符号を付して示した構成要素は、概ね同一のものを指し示すものとする。
【００３６】
図４（ａ）は、電波放射測定装置１０ｂの一部分を透視した概略構成図を示している。この電波放射測定装置１０ｂは、図１に示した電波放射測定装置１０の代わりに用いられ、測定空間内における電波源からの電波放射を把握するために用いられる。なお、図４（ａ）では、説明の便宜上、電波放射測定装置１０ｂが有する全てのガイド１３ｂを図示していない。
【００３７】
電波放射測定装置１０ｂは、主に、複数の光源１１ｂと、複数のガイド１３ｂと、ガイド１３ｂを支持するガイド支持体１２ｂと、を有する。図示のように電波放射測定装置１０ｂは、略球体に構成されており、このような略球体における中心点から概ね放射状に広がるように複数のガイド１３ｂが配置されている。また、第２実施例では、複数のガイド１３ｂのそれぞれに、光源１１ｂが設けられている。なお、これらの複数のガイド１３ｂは、全周をカバーするように、つまり概ね全ての立体角範囲がカバーされるように配置しても良いし、測定対象となる電波源から電波が放射される範囲のみがカバーされるような立体角範囲にて配置しても良い。また、複数の光源１１ｂは、本発明における発光装置に相当する。
【００３８】
図４（ｂ）は、上記したガイド１３ｂを拡大して表した構成図を示している。具体的には、１つのガイド１３ｂの側面図を示している（一部分を透視して示している）。図示のように、ガイド１３ｂは、１つの端部に光源１１ｂが設けられている。また、ガイド１３ｂは、光源１１ｂからの光が内部を通過するように筒状に構成されると共に、光の進行方向に従って広がるような形状を有している。更に、ガイド１３ｂには、内部を通過する光を調光可能な絞り機構１４ｂが設けられている。この絞り機構１４ｂは、本発明における調光機構に相当する。
【００３９】
図４（ｃ）は、上記したガイド１３ｂとは異なるガイドの例を示している。具体的には、図４（ｃ）は、１つのガイド１３ｃにおける側面図を示している（一部分を透視して示している）。このようなガイド１３ｃも、図４（ａ）に示すような電波放射測定装置１０ｂに用いられる。図示のように、ガイド１３ｃは、１つの端部に光源１１ｂが設けられている。また、ガイド１３ｃは、光源１１ｂからの光が内部を通過するように筒状に構成されると共に、光の進行方向に従って広がるような形状を有している。また、ガイド１３ｃは、光源１１ｂからの光を調光可能な調光フィルタ１５ｃが装着可能に構成されている。この調光フィルタ１５ｃは、本発明における調光機構に相当する。
【００４０】
図４（ｄ）は、上記したガイド１３ｂ及びガイド１３ｃとは異なるガイドの例を示している。具体的には、図４（ｄ）は、１つのガイド１３ｄにおける側面図を示している（一部分を透視して示している）。このようなガイド１３ｄも、図４（ａ）に示すような電波放射測定装置１０ｂに用いられる。図示のように、ガイド１３ｄは、１つの端部に光源１１ｄが設けられている。また、ガイド１３ｄは、光源１１ｄからの光が内部を通過するように筒状に構成されると共に、光の進行方向に従って広がるような形状を有している。更に、本例における光源１１ｄは、調光機能を有して構成されている。そのため、前述したガイド１３ｂ及びガイド１３ｃとは異なり、ガイド１３ｄ自体には調光機構が別途設けられていない。なお、光源１１ｄは、本発明における発光装置及び調光機構に相当する。
【００４１】
上記した絞り機構１４ｄ、調光フィルタ１５ｃ、及び光源１１ｄも、測定対象となる電波源の指向性に一致させるように、測定者などによって調整が行われる。つまり、着目している電波源の指向性を、電波放射測定装置１０ｂで再現させるための調光が行われる。例えば、前述したようなアンテナ２０の電波指向性（図３参照）などに一致させるように、複数のガイド１３ｂ、１３ｃ、１３ｄのそれぞれから放射される光の強度が、絞り機構１４ｄ、調光フィルタ１５ｃ、光源１１ｄを用いて調節される。
【００４２】
なお、電波放射測定装置１０ｂにおける複数のガイドを、ガイド１３ｂ、ガイド１３ｃ、及びガイド１３ｄのいずれか１つのみを用いて構成しても良いし、ガイド１３ｂ、ガイド１３ｃ、及びガイド１３ｄのいずれか２つ以上を用いて構成しても良い。
【００４３】
以上説明した第２実施例に係る電波放射測定装置１０ｂによっても、電波源からの電波放射を容易に把握することが可能となる。また、第２実施例に係る構成では、ガイド１３ｂ、１３ｃ、１３ｄごとに光源１１ｂ、１１ｄが設けられているため、精度良く調光を行うことができる。よって、前述した第１実施例に比して、電波放射測定装置１０ｂによる電波指向性の再現性を向上させることが可能となる。特に、ガイド１３ｄを用いた場合には、光源１１ｄ自体が調光機能を有しているので、より精度良く調光を行うことができ、電波指向性の再現性をより向上させることが可能となる。
【図面の簡単な説明】
【００４４】
【図１】本実施形態に係る電波放射測定装置を用いた測定方法を説明するための図である。
【図２】第１実施例に係る電波放射測定装置の構成を示す図である。
【図３】アンテナの電波指向性の一例を示す図である。
【図４】第２実施例に係る電波放射測定装置の構成を示す図である。
【符号の説明】
【００４５】
４  ＩＣタグ、  １０  電波放射測定装置、  １１  光源、  １２  ガイド支持体、  １３  ガイド、  １４  絞り機構、  １５  調光フィルタ、  ２０  アンテナ
【図１】
2009075049.tif 000003
【図２】
2009075049.tif 000004
【図３】
2009075049.tif 000005
【図４】
2009075049.tif 000006